【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
設定画面において表示される表示項目を設定する第１設定手段と、
複数のモードの中から、モードを設定する第２設定手段と、
前記第２設定手段により設定されたモード、および、前記第１設定手段により設定された表示項目に応じて、前記設定画面を表示する表示制御手段と、を有し、
前記設定画面は、モード毎に異なる表示項目を表示する第１の領域と、複数のモードに共通して表示される表示項目を表示する第２の領域とを有する、ことを特徴とする電子機器。
【請求項２】
前記第１の領域と前記第２の領域は前記設定画面を表示する表示画面に同時に表示される、ことを特徴とする請求項１に記載の電子機器。
【請求項３】
前記第１の領域と前記第２の領域のサイズをユーザ指示に応じて変更する変更手段をさらに有する、ことを特徴とする請求項１に記載の電子機器。
【請求項４】
前記第１設定手段は、前記第１の領域の表示項目が設定される際には選択されているモードに関連する表示項目が優先的に設定されるように促し、前記第２の領域の表示項目が設定される際にはモードに依存しない表示項目が優先的に設定されるように促す、ことを特徴とする請求項１に記載の電子機器。
【請求項５】
前記第１設定手段は、前記設定画面に表示される表示項目の表示位置を設定可能である、ことを特徴とする請求項１に記載の電子機器。
【請求項６】
前記第１設定手段により前記第１の領域に表示するべく設定された表示項目をカスタマイズの対象に選択されたモードに関連付けて記録し、前記第１設定手段により前記第２の領域に表示するべく設定された表示項目を共通の表示項目として記録する記録手段、をさらに有する、ことを特徴とする請求項１に記載の電子機器。
【請求項７】
前記表示制御手段は、前記第２設定手段により設定されたモードに関連付けて前記記録手段に記録されている表示項目と、前記共通の表示項目として前記記録手段に記録されている表示項目とを、前記設定画面に一覧表示させる、ことを特徴とする請求項６に記載の電子機器。
【請求項８】
前記第１設定手段は、前記第１の領域と前記第２の領域とを有するカスタマイズ画面において、表示項目とその配置位置のユーザ指定を受け付ける、ことを特徴とする請求項６に記載の電子機器。
【請求項９】
前記記録手段は、前記カスタマイズ画面においてユーザ指定された配置位置が前記第１の領域にある場合には、ユーザ指定された表示項目を選択されているモードに関連付けて記録し、ユーザ指定された配置位置が前記第２の領域にある場合にはユーザ指定された表示項目を共通の表示項目として記録する、ことを特徴とする請求項８に記載の電子機器。
【請求項１０】
前記第１設定手段は、前記カスタマイズ画面に配置するための表示項目として複数の表示項目の一つをユーザに選択せる選択画面を提供する、ことを特徴とする請求項９に記載の電子機器。
【請求項１１】
前記選択画面は、前記カスタマイズ画面においてユーザが配置位置を選択することに応じて表示される、ことを特徴とする請求項１０に記載の電子機器。
【請求項１２】
前記選択画面は、ユーザが選択可能な複数の表示項目を一覧表示し、
ユーザが選択した配置位置が前記第１の領域にあるか前記第２の領域にあるかに応じて、前記一覧表示における表示項目の順序または内容を変える、ことを特徴とする請求項１１に記載の電子機器。
【請求項１３】
前記選択画面は、ユーザが選択した配置位置が前記第２の領域にある場合に、前記選択されているモードに応じて前記一覧表示における表示項目の順序または内容を変える、ことを特徴とする請求項１２に記載の電子機器。
【請求項１４】
前記カスタマイズ画面における表示項目の配置位置は、前記設定画面における表示項目の配置位置に対応している、ことを特徴とする請求項８に記載の電子機器。
【請求項１５】
前記記録手段は、
前記第１の領域に表示すべく指定された表示項目とその配置位置を示す配置情報を、モード別にメモリに記録し、
前記第２の領域に表示すべく指定された表示項目とその配置位置を示す配置情報を、共通の配置情報としてメモリに記録する、ことを特徴とする請求項６に記載の電子機器。
【請求項１６】
複製元のモードから複製先のモードへの設定画面の複製指示に応じて、前記複製元のモードに関連付けて記録されている配置情報を複製して、前記複製先のモードの配置情報として記録する複製手段をさらに備える、ことを特徴とする請求項１５に記載の電子機器。
【請求項１７】
前記複数のモードから、カスタマイズの対象のモードをユーザに選択させる選択手段をさらに備える、ことを特徴とする請求項６に記載の電子機器。
【請求項１８】
前記選択手段により別のモードが選択された場合、カスタマイズの対象の設定画面を前記別のモードの設定画面に変更する変更手段をさらに備える、ことを特徴とする請求項１７に記載の電子機器。
【請求項１９】
設定画面において表示される表示項目を設定する第１設定手段と、
複数の撮影モードの中から、撮影モードを設定する第２設定手段と、
前記第２設定手段により設定された撮影モード、および、前記第１設定手段により設定された表示項目に応じて、前記設定画面を表示する表示制御手段と、を有し、
前記設定画面は、撮影モード毎に異なる表示項目を表示する第１の領域と、複数の撮影モードに共通して表示される表示項目を表示する第２の領域とを有する、ことを特徴とする撮像装置。
【請求項２０】
電子機器の制御方法であって、
設定画面において表示される表示項目を設定する第１設定工程と、
複数のモードの中から、モードを設定する第２設定工程と、
前記第２設定工程により設定されたモード、および、前記第１設定工程により設定された表示項目に応じて、前記設定画面を表示する表示制御工程と、を有し、
前記設定画面は、モード毎に異なる表示項目を表示する第１の領域と、複数のモードに共通して表示される表示項目を表示する第２の領域とを有する、ことを特徴とする電子機器の制御方法。
【請求項２１】
コンピュータを、請求項１乃至１８のいずれか１項に記載された電子機器の各手段として機能させるためのプログラム。
【手続補正２】
【補正対象書類名】明細書
【補正対象項目名】発明の名称
【補正方法】変更
【補正の内容】
【発明の名称】電子機器およびその制御方法、撮像装置
【手続補正３】
【補正対象書類名】明細書
【補正対象項目名】０００１
【補正方法】変更
【補正の内容】
【０００１】
本発明は、ユーザが機器の動作状態の確認や動作設定を指示するための設定画面をカスタマイズ可能な電子機器およびその制御方法、撮像装置に関する。
【手続補正４】
【補正対象書類名】明細書
【補正対象項目名】０００８
【補正方法】変更
【補正の内容】
【０００８】
上記の目的を達成するための本発明の一態様による電子機器は、以下の構成を有する。すなわち、
設定画面において表示される表示項目を設定する第１設定手段と、
複数のモードの中から、モードを設定する第２設定手段と、
前記第２設定手段により設定されたモード、および、前記第１設定手段により設定された表示項目に応じて、前記設定画面を表示する表示制御手段と、を有し、
前記設定画面は、モード毎に異なる表示項目を表示する第１の領域と、複数のモードに共通して表示される表示項目を表示する第２の領域とを有する。